(57)【特許請求の範囲】
【請求項１】
上層の透水性ブロックと下層の基台とを一体的に形成したパネル本体からなる透水性パネルにおいて、基台は排水手段および／または貯留空間を有すると共に、基台の側縁に隣り合う透水性パネルの上下方向の動きを阻止して働く上下位置規制手段を有していることを特徴とする透水性パネル。
【請求項２】
上下位置規制手段は、基台の少なくとも２つの側縁に設けられていることを特徴とする請求項１記載の透水性パネル。
【請求項３】
上下位置規制手段は、相互に適合する凹部と凸部からなることを特徴とする請求項１または２記載の透水性パネル。
【請求項４】
上下位置規制手段は、上下に重合可能な上重合部およびこれに対応する下重合部からなることを特徴とする請求項１または２記載の透水性パネル。
【請求項５】
基台が、地面と平行な挿入口を備えていることを特徴とする請求項１乃至４のいずれか１項記載の透水性パネル。
【請求項６】
排水手段および／または貯留空間を有する基台が、中空構造状であることを特徴とする請求項１乃至５のいずれか１項記載の透水性パネル。
【請求項７】
排水手段および／または貯留空間を有する基台が、ハニカム構造状であることを特徴とする請求項１乃至５のいずれか１項記載の透水性パネル。
【請求項８】
排水手段および／または貯留空間を有する基台が、ブロックを固定する固定枠と、固定枠を支持する支持脚から成り、支持脚には沈下防止鍔が設けられていることを特徴とする請求項１乃至５のいずれか１項記載の透水性パネル。
【請求項９】
パネル本体の側縁が、隣り合うパネル本体の側縁と相互に噛み合わせ可能な態様に形成されていることを特徴とする請求項１乃至８のいずれか１項記載の透水性パネル。
【請求項１０】
基台が合成樹脂から成ることを特徴とする請求項１乃至９のいずれか１項記載の透水性パネル。
【発明の詳細な説明】
【０００１】
【発明の属する技術分野】
本発明は、歩道、公園、駐車場等の路面を形成するのに有用な透水性パネルに関する。
【０００２】
【従来の技術】
近年、建築・土木の分野では景観に関する関心の高まりから、歩道や駐車場、公園などの路面において、従来のアスファルト舗装を用いず、色彩豊かなタイルを敷き詰めて、より美感を高めるようになってきている。
さらに、降雨の際、表面に水が溜まらないように透水性のタイルを用いたものとして、実用新案登録第３０３２４２６号（以下、先願と称する）が提案されている。
先願は、透水性タイルの下面に敷設するコンクリート等から成るタイル用基台において、このタイル用基台の上面の中央部から相対する底面にかけて、貫通孔を設けている。
しかし、上記した従来技術には次のような問題点がある。
タイルを敷設して長年経過すると、次第にタイルが上下あるいは前後左右方向に位置がズレてしまい、外観を損ねるばかりか、歩行の際にも蹟くなどの支障を来してしまう。
また、先願においては次のような問題点がある。
基台の側縁に、前後左右方向の動きを規制して働く凹凸部を形成しているが、上下方向への規制がなされていない為、長年経過するとタイル用基台が上下にズレてしまう。
タイルおよびコンクリートでパネルを構成すると、パネル一枚の重量が非常に重くなり、施工が困難である。
【０００３】
【発明が解決しようとする課題】
解決しようとする課題は、多量の雨でも路面に水たまりができず、施工性に優れ、通行の際にも蹟くことがない安全な路面に敷設可能な透水性パネルを提供することにある。
【０００４】
【課題を解決するための手段】
本発明は前記した課題を達成するために、上層の透水性ブロックと下層の基台とを一体的に形成したパネル本体からなる透水性パネルにおいて、基台は排水手段および／または貯留空間を有すると共に、基台の側縁に隣り合う透水性パネルの上下方向の動きを阻止して働く上下位置規制手段を有していることを特徴とする。
また本発明では、上下位置規制手段は、基台の少なくとも２つの側縁に設けられていることを特徴とする。
また本発明では、上下位置規制手段は、相互に適合する凹部と凸部からなることを特徴とする。
また本発明では、上下位置規制手段は、上下に重合可能な上重合部およびこれに対応する下重合部からなることを特徴とする。
また本発明では、基台が、地面と平行な挿入口を備えていることを特徴とする。
排水手段および／または貯留空間を有する基台が、中空構造状であることを特徴とする。
また本発明では、排水手段および／または貯留空間を有する基台が、ハニカム構造状であることを特徴とする。
また本発明では、排水手段および／または貯留空間を有する基台が、ブロックを固定する固定枠と、固定枠を支持する支持脚から成り、支持脚には沈下防止鍔が設けられていることを特徴とする。
また本発明では、パネル本体の側縁が、隣り合うパネル本体の側縁と相互に噛み合わせ可能な態様に形成されていることを特徴とする。
また本発明では、基台が合成樹脂から成ることを特徴とする。
【０００５】
そして、本発明における排水手段は、上下に連通した連通孔とするか、または所定位置に排水可能な排水部材を設ける態様のいずれであっても良い。また、集中豪雨などでも表面に水が滞留しないよう、透水性ブロックにさらに通水孔を設けて排水能力を高めるようにしても良い。ブロック表面に溝を設けて雨水を素早く溝に集めてから徐々に下層へと吸水させるようにしても良い。この場合は、溝は滑り防止にもなる。
透水性ブロックは、透水性を有する各種の表面材であり、透水性のタイルやインターロッキングブロックやコンクリート平板等である。その形状は四角形に限らず、三角形、多角形、丸形、流線形等任意の形状で良く、同じ形のものによる組み合わせ、或いは、異なる形のものによる組み合わせでパネルを構成し、適宜の色彩と形状にすることによって、美感に優れた模様を形成自在である。この透水性ブロックの材質は、強度及び透水性ともに優れているものであれば良い。そして、透水性ブロックからなる上層は、１または複数の透水性ブロックで構成される。
ブロックと基台は、任意の接着材を使用して接着して一体的に形成するが、接着材の層によって透水性が損なわれないようにする。
基台の厚さ（高さ）は設置する場所の気候等を考慮して、浸透水の貯留可能量を設定する。この貯留可能量は、構造及び材質との関係で決定されるが、基台としての必要強度を維持して、基台体積の概ね５０乃至９０％になる。基台の材質は金属、合成樹脂、セメント、ゴム、複合材料等が考えられるが、敷設場所に負荷される荷重を考慮して適当な材料になる。
この貯留空間は、中空構造状に形成された基台の空間部分すなわち中空部、さらに排水空間として働く連通孔によって形成される。また、基台が脚を有する態様のものでは、脚の高さ分の空間も貯留空間になる。
上下位置規制手段は、パネルの一側縁または隣り合う両側縁或いは相対する両側縁のいずれに形成しても良い。この上下位置規制手段は、上下重合タイプまたは相互に適合する凹部と凸部からなる嵌め合いタイプであり、凸部は、丸棒状、角棒状、これらに類する他の突状のものであり、凹部は、凸部が挿入可能な孔状または溝状或いは凹窪状のもので良い。そして、この凹部および凸部は、各側縁に１または複数設けても良く、凸部を点で設けた場合、凹部は該凸部と１対１に対応させて形成しても良いし、或いは、溝状に設けてパネルを上下方向のみ規制し、前後左右方向は自由に接続できる関係にしても良い。また、凹部を溝状に、凸部を突条に、それぞれ形成した場合でも同様の接続関係にすることができる。さらに、凸部と凹部による接続関係は、各側縁において少なくとも２箇所で行なわれるのが望ましく、例えば、接続関係が１箇所で且つ凸部が丸棒状である場合のようにパネル同士で回転可能な接続関係になることは無い。この点、上下位置規制手段が上下重合タイプのものでは、パネル同士が回転してしまうような接続関係にはならない。
基台には、複数の孔を設けて地面に水を吸水させるようにしても良い。
挿入口は、フォークが挿脱可能な形状及び大きさの態様に形成し、この挿入口を利用して、フォークリフトで運んでも良いし、フォークリフトを使わないまでもジグを差し込んで持ち運びし易くしても良い。また、挿入口は、独立状に設けても良いし、凹部と兼用しても良く、この凹部兼用の挿入口を利用して、凸部を挿入することで隣り合うパネルとの接続関係を得るようにしても良い。
基台が中空構造状である場合の態様としては、上下および側方が囲まれている態様、上下が塞がれて側方が開いている態様、上下が開いていて側方が閉じられている態様等が挙げられるが、いずれの態様のものでも良く、貯留空間を形成し且つ軽量化を計り得る空間が確保されている態様のもの全てを含む。
基台のハニカム構造は、六角柱の集合体に限定されず、円柱、多角柱等、上下に連通する中空体の集合であれば良い。
基台における支持脚の沈下防止鍔は、接地面積を増して、脚の沈み込みを防止できれば良く、面積を取りすぎて吸水を妨げない程度とする。
隣り合うパネル本体の側縁における噛み合わせ部分は、側縁の一部または全幅のいずれであっても良い。
【０００６】
【発明の実施の形態】
図１乃至図４には本発明の透水性パネルにおける実施の１形態を例示しており、四角板状のパネル本体１は、上層の透水性ブロック２と下層の基台３からなり、この透水性ブロック２と基台３は両者間の通水性が失われないように重合面を適宜接着して一体的に形成してある。
上層は、多数の透水性ブロック２を基台３に貼り合わせて、表面模様が各ブロックの境界線で形成された亀甲模様を呈する板状に仕上げてある。
基台３は、輪郭形状が透水性ブロック２と同形である合成樹脂製の中空構造状のものであり、前側縁３ａ左右と後側縁３ｂ左右には丸棒状の凸部３ｃをそれぞれ前後対称状に突設すると共に、左右両側縁３ｄ，３ｅ前後には断面長方形状の凹部３ｆをそれぞれ両側縁に亘り貫通状に配設してある。この丸棒状の凸部３ｃの左右ピッチと凹部３ｆの前後ピッチは同ピッチにしており、パネル同士の接続時に、丸棒状の凸部３ｃが断面長方形状の凹部３ｆ内で前後方向へ移動可能にして、縦横に整然と並ぶ接続状態（図４参照）または縦横にズレがある接続状態のいずれにも敷設し得るようにしてある。
そして、丸棒状の凸部３ｃの径は、断面長方形状で貫通状の凹部３ｆの高さと同等または若干小さい比率関係に形成していて、パネル同士の接続時に、丸棒状の凸部３ｃと断面長方形状の凹部３ｆとの間に上下方向の遊びが殆ど無くて、水平方向への移動調整は可能ではあるが、上下方向にはガタツキが発生しない接続関係（図４参照）になるようにしてある。断面長方形状の凹部３ｆは挿入口３ｇを兼ねていて、この前後の挿入口３ｇにフォークを差し込めるようにしてある。
また、基台３には、上下に貫通する多数の連通孔３ｈを形成していて、この多数の連通孔３ｈおよび挿入口３ｇを通じて水が通り抜けられるようにしてある。
挿入口３ｇおよび多数の連通孔３ｈは、貯留空間４を兼ねている。
【０００７】
図５乃至図８には本発明の透水性パネルにおける実施の他の１形態を例示しており、構成は前記した図１の態様のものと挿入口３ｇが形成されていない点を除いて基本的に同一であるため、共通している構成の説明は符合を準用して省略し、相違する構成について説明する。
上層は、多数の透水性ブロック２を基台３に貼り合わせて、表面模様が各ブロックの境界線で形成された市松模様を呈する板状に仕上げてある。
基台３は、補強材等を設けた中空構造状に形成していて、前側縁３ａ下半部および後側縁３ｂ下半部には鍔状下重合部３ｉをそれぞれ前後対称状に突設すると共に、左右両側縁３ｄ，３ｅ上半部には顎状上重合部３ｊをそれぞれ左右対称状に配設してある。この鍔状下重合部３ｉと顎状上重合部３ｊは相互に係合可能な態様に形成しており、パネル同士の接続時に、鍔状下重合部３ｉが顎状上重合部３ｊに沿い左右方向へ移動可能にして、縦横に整然と並ぶ接続状態（図８参照）または縦横にズレがある接続状態のいずれにも敷設し得るようにしてある。
そして、鍔状下重合部３ｉの高さは、顎状上重合部３ｊの高さと同等に形成していて、パネル同士の接続時に、鍔状下重合部３ｉと顎状上重合部３ｊとの間に上下方向の遊びが殆ど無くて、水平方向への移動調整は可能ではあるが、上下方向にはガタツキが発生しない接続関係（図８参照）になるようにしてある。
また、基台３には、中空状内部３ｓを経て上下に貫通する多数の連通孔３ｈを形成していて、この多数の連通孔３ｈおよび中空状内部３ｓを通じて水が通り抜けられるようにしてある。
中空状内部３ｓおよび多数の連通孔３ｈは、貯留空間４を兼ねている。
【０００８】
図９乃至図１１には本発明の透水性パネルにおける実施の他の１形態を例示しており、構成は前記した図１の態様のものと基台が中空構造状ではない点を除いて基本的に同一であるため、共通している構成の説明は符合を準用して省略し、相違する構成について説明する。
透水性ブロック２は、ブロック表面模様が地模様の一枚板状に仕上げてある。基台３は、前側縁３ａおよび左側縁３ｄに帯状の凸部３ｃを、右側縁３ｅおよび後側縁３ｂに溝状の凹部３ｆを、それぞれ形成してある。
この帯状の凸部３ｃと溝状の凹部３ｆは相互に嵌合可能な態様に形成しており、パネル同士の接続時に、帯状の凸部３ｃが溝状の凹部３ｆに沿い前後左右方向へ移動可能にして、縦横に整然と並ぶ接続状態または縦横にズレがある接続状態のいずれにも敷設し得るようにしてある。
そして、帯状の凸部３ｃの厚さは、溝状の凹部３ｆの溝幅と同等に形成していて、パネル同士の接続時に、帯状の凸部３ｃと溝状の凹部３ｆとの間に上下方向の遊びが殆ど無くて、水平方向への移動調整は可能ではあるが、上下方向にはガタツキが発生しない接続関係になるようにしてある。
また、基台３には、上下に貫通する多数の連通孔３ｈを形成すると共に、連通孔３ｈ口に漏斗状開口部３ｋを形成していて、この漏斗状開口部３ｋから連通孔３ｈを通じて水が通り抜けられるようにしてある。
この態様のものでは、凹部３ｆがジグを差し込み可能な挿入口３ｇを兼ねていて、ジグによる持ち運びを可能にしてある。
【０００９】
図１２乃至図１４には本発明の透水性パネルにおける実施の他の１形態を例示しており、構成は前記した図１の態様のものと基本的に同一であるため、共通している構成の説明は符合を準用して省略し、相違する構成について説明する。
透水性ブロック２は、ブロック表面模様が地模様の一枚板状に仕上げており、底面には嵌合部２ｂを基台３の固定枠３ｍに嵌合可能に形成してある。
基台３は中空構造状のもので、透水性ブロック２を受支可能な固定枠３ｍと、固定枠３ｍを支持する支持脚３ｎから成り、支持脚３ｎ下端には沈下防止鍔３ｐを設けてある。支持脚３ｎの間にはフォークを差し込めるようにしている。
固定枠３ｍは、内部空間３ｔに補強梁３ｑを配設することで枠の強度を強化していると共に、固定枠３ｍ内に嵌合した嵌合部２ｂを補強梁３ｑ上縁で受支して一体的に保持している。また、固定枠３ｍは、右側縁３ｅ前後に凸部３ｃを、左側縁３ｄに穴状の凹部３ｆを、それぞれ形成してある。
この凸部３ｃと穴状の凹部３ｆは相互に嵌合可能な態様に形成しており、パネル同士の接続時に、凸部３ｃと穴状の凹部３ｆとの間に上下及び前後方向への遊びが殆ど無くて、上下および前後方向にガタツキが発生しない接続関係になるようにしてある。
内部空間３ｔは、水が通る排水手段として働くと共に貯留空間４を兼ねている。この態様のものでは、凹部３ｆがジグを差し込み可能な挿入口３ｇを兼ねていて、ジグによる持ち運びを可能にしてある。
【００１０】
図１５乃至図１７には本発明の透水性パネルにおける実施の他の１形態を例示しており、構成は前記した図１の態様のものと基本的に同一であるため、共通している構成の説明は符合を準用して省略し、相違する構成について説明する。
上層は、多数の透水性ブロック２を基台３に貼り合わせて、表面模様が各ブロックの境界線で形成された菱模様を呈する板状に仕上げてある。
基台３は中空構造状のもので、内部をハニカム構造にして各目の連通孔３ｈが上下に開口しているように形成してあり、前側縁３ａ左右には角棒状の凸部３ｃを、後側縁３ｂには長穴状の凹部３ｆを、それぞれ形成してある。
この角棒状の凸部３ｃと長穴状の凹部３ｆは相互に嵌合可能な態様に形成しており、パネル同士の接続時に、角棒状の凸部３ｃが長穴状の凹部３ｆ内で左右方向へ移動可能にして、縦横に整然と並ぶ接続状態または縦横にズレがある接続状態のいずれにも敷設し得るようにしてある。
そして、角棒状の凸部３ｃの径は、長穴状の凹部３ｆの高さと同等または若干小さい比率関係に形成していて、パネル同士の接続時に、角棒状の凸部３ｃと長穴状の凹部３ｆとの間に上下方向の遊びが殆ど無くて、水平方向への移動調整は可能ではあるが、上下方向にはガタツキが発生しない接続関係（図１５に想像線で示す）になるようにしてある。
多数の連通孔３ｈは、水が通る排水手段として働くと共に貯留空間４を兼ねている。
この態様のものでは、凹部３ｆがジグを差し込み可能な挿入口３ｇを兼ねていて、ジグによる持ち運びを可能にしてある。
【００１１】
図１８乃至図２０には本発明の透水性パネルにおける実施の他の１形態を例示しており、構成は前記した図１の態様のものと基台が中空構造状ではない点を除いて基本的に同一であるため、共通している構成の説明は符合を準用して省略し、相違する構成について説明する。
上層は、多数の透水性ブロック２を基台３に貼り合わせて、表面模様が各ブロックの境界線で形成されたブロック地模様を呈する板状に仕上げてある。
基台３は、右側縁３ｅ前後には丸棒状の凸部３ｃを、左側縁３ｄには長穴状の凹部３ｆを、それぞれ形成してある。
この丸棒状の凸部３ｃと長穴状の凹部３ｆは相互に嵌合可能な態様に形成しており、パネル同士の接続時に、丸棒状の凸部３ｃが長穴状の凹部３ｆ内で前後方向へ移動可能にして、縦横に整然と並ぶ接続状態または縦横にズレがある接続状態のいずれにも敷設し得るようにしてある。
丸棒状の凸部３ｃの径は、長穴状の凹部３ｆの高さと同等または若干小さい比率関係に形成していて、パネル同士の接続時に、丸棒状の凸部３ｃと長穴状の凹部３ｆとの間に上下方向の遊びが殆ど無くて、水平方向への移動調整は可能ではあるが、上下方向にはガタツキが発生しない接続関係になるようにしてある。
そして、パネル本体１は、前側縁１ａに前噛合せ部１ｂを、後側縁１ｃに後噛合せ部１ｄを、相互に噛合わせ可能な凹凸状の態様に形成してあり、前後に隣り合うパネル本体１と、凹部３ｆに凸部３ｃが挿入した状態でスライドさせることで、前後の噛合せ部１ｂ，１ｄを相互に噛み合わせて接続可能に形成してある。
この態様のものでは、凹部３ｆがジグを差し込み可能な挿入口３ｇを兼ねていて、ジグによる持ち運びを可能にしてある。
【００１２】
図２１乃至図２３には本発明の透水性パネルにおける実施の他の１形態を例示しており、構成は前記した図１８の態様のものと基本的に同一であるため、共通している構成の説明は符合を準用して省略し、相違する構成について説明する。
長穴状の凹部３ｆは、同部下辺における前後に通り部３ｒを切り欠いて形成してあり、この前後の通り部３ｒの間隔は凸部３ｃの前後ピッチと同等にしていて、前後に隣り合うパネル本体１と、凸部３ｃ上に通り部３ｒを一致させて、凹部３ｆ内に凸部３ｃが挿入した状態でスライドさせることで、前後の噛合せ部１ｂ，１ｄを相互に噛み合わせて接続可能に形成してある。
【００１３】
前記した各形態の透水性パネルにおけるパネル本体１の材質を以下に例示する。  透水性ブロック２は、▲１▼天然珪酸塩鉱物の微細粉粒とホワイトセメントとガラス粉粒と水溶性合成樹脂エマルジョンを混合して固化したもの、▲２▼砕石、シラス、シラス微粉、ガラス粉、接着材、水を混合して攪拌した後、プレス成形し焼成して得たものであり、ガラス粉粒として、家庭用食品や飲料容器として用いられたガラス屑廃材を処理して再利用でき、粒度が大きい粉粒を多量に含むほど透水性が増すことになる。
そして、透水性パネルとしては、例えば、陶石および／または粘土と廃硝子および／または水硝子からなる透水性ブロック２と、フライアッシュまたは製紙過程で発生する廃スラッジの焼却廃棄物のＳｉＯ２  含有燃焼材凝固物と廃硝子と水硝子とからなる基台３とで構成される。
以下に、具体例を示す。
▲１▼透水性ブロック
天然珪酸塩鉱物の微細粉粒＋ホワイトセメント：２５〜３５重量部、ガラス粉粒：６５〜７５重量部（粒度１〜１０ｍｍ）、水溶性合成樹脂エマルジョン：４〜５重量部を混合、固化して得た。透水係数は０．５〜１２．０×１０−２ｃｍ／ｓ  であった。
また、好適な透水性を示した例として、天然珪酸塩鉱物の微細粉粒＋ホワイトセメント：２５重量部、ガラス粉粒：７５重量部（粒度１〜５ｍｍ：２０重量部、５〜１０ｍｍ：５５重量部）、水溶性合成樹脂エマルジョン：４重量部のとき、透水係数は４．８×１０−２ｃｍ／ｓ  であった。
▲２▼透水性ブロック
骨材Ａ（砕石２〜５ｍｍ粒子＋シラス１〜２ｍｍ粒子＋杉山石）：６８％、骨材Ｂ（シラス微紛＋ガラス粉）：２２重量％、接着剤：２．５重量％、水：７．５重量％を混合攪拌して得られた原料をプレス成形、焼成して得られる。
▲３▼透水性パネル
フライアッシュまたは製紙過程で発生する廃スラッジの焼却廃棄物のいずれかである粒径１０ｍｍ以内のＳｉＯ２  含有燃焼材凝固物６０〜９０重量％、廃ガラス５〜２０重量％、水硝子５〜２０重量％からなり、１０００〜１２００℃の温度で焼成された基台と、粒径３ｍｍ以内の陶石および／または粘土と廃硝子および／または水硝子からなる透水性ブロックで構成した。
【００１４】
【発明の効果】
Ａ．請求項１により、複数の透水性ブロックを予め一枚のパネル基台に一体的に設置しているので、施工性が向上する。
透水性ブロックと基台をパネル化しているので、透水性ブロック単体の場合のような局部的な沈下や浮き上がりさらにはズレが生じにくい。
基台に排水手段を設けたことにより、排水許容量が増加し、透水性ブロック自体を薄型化できる。
予め透水性ブロックをパネルと一体化しているので、輸送時に透水性ブロック同士の接触による破損の恐れが少ない。
集中豪雨などで水が地面に素早く吸収されない場合でも、基台部分に一端貯留されて徐々に吸収されていく。
Ｂ．請求項２により、さらに、隣接するパネルとの接続関係が強固になるので、上下位置ズレ防止の安定感が増す。
Ｃ．請求項３により、さらに、構造簡単で且つ強固な接続関係となり、上下位置ズレ防止の安定感が増す。
Ｄ．請求項４により、さらに、成形容易であると共に、強固な接続関係となり、上下位置ズレ防止の安定感が増す。
Ｅ．請求項５により、さらに、フォークリフトを使用してトラックヘの積み卸し、施工が容易に行える。また、フォークリフトが使用できないような場所においては、挿入口にジグを差し込み持ち運びしやすいようにできる。
Ｆ．請求項６により、中空構造状であるので軽量であると共に、貯留空間を大きく確保することが出来る。
Ｇ．請求項７により、ハニカム構造状であるので軽量であると共に、強度が高く、しかも、貯留空間を大きく確保することが出来る。
Ｈ．請求項８により、支持脚の間にフォークを差し込めるので、フォークリフトを使用してトラックヘの積み卸し、施工が容易に行える。また、支持脚における沈下防止鍔がパネルの沈下を阻止して働く。
Ｉ．請求項９により、さらに、パネルが隣接のパネルと噛合って水平方向への移動を規制している為、新たに水平方向の位置規制手段を設ける必要がない。
Ｊ．請求項１０により、さらに、合成樹脂製であるので非常に軽量である。
【図面の簡単な説明】
【図１】本発明の透水性パネルにおける実施の１形態を例示している正面図。
【図２】図１の（２）−（２）横断面図。
【図３】分解斜視図。
【図４】透水性パネル同士の接続状態を示す平面図。
【図５】本発明の透水性パネルにおける実施の他の１形態を例示している正面図。
【図６】図５の（６）−（６）横断面図。
【図７】分解斜視図。
【図８】透水性パネル同士の接続状態を示す平面図。
【図９】本発明の透水性パネルにおける実施の他の１形態を例示している縦断面図。
【図１０】図９の（１０）−（１０）横断面図。
【図１１】分解斜視図。
【図１２】本発明の透水性パネルにおける実施の他の１形態を例示している縦断面図。
【図１３】図１２の（１３）−（１３）横断面図。
【図１４】分解斜視図。
【図１５】本発明の透水性パネルにおける実施の他の１形態を例示している縦断面図。
【図１６】斜視図。
【図１７】分解斜視図。
【図１８】本発明の透水性パネルにおける実施の他の１形態を例示している正面側斜視図。
【図１９】背面側斜視図。
【図２０】透水性パネル同士の接続状態を示す平面図。
【図２１】本発明の透水性パネルにおける実施の他の１形態を例示している正面側斜視図。
【図２２】背面側斜視図。
【図２３】透水性パネル同士の接続状態を示す平面図。
【符号の説明】
１  パネル本体
２  透水性ブロック
２ｂ  嵌合部
３  基台
３ａ  前側縁
３ｂ  後側縁
３ｃ  凸部（上下位置規制手段）
３ｄ  左側縁
３ｅ  右側縁
３ｆ  凹部（上下位置規制手段）
３ｇ  挿入口（排水手段および／または貯留空間）
３ｈ  連通孔（排水手段および／または貯留空間）
３ｉ  鍔状下重合部（上下位置規制手段）
３ｊ  顎状上重合部（上下位置規制手段）
３ｋ  漏斗状開口部
３ｍ  固定枠
３ｎ  支持脚
３ｐ  沈下防止鍔
３ｑ  補強梁
３ｒ  通り部
３ｓ  中空状内部（排水手段兼貯留空間）
３ｔ  内部空間（排水手段兼貯留空間）
４  貯留空間
【図１】
0003556136.tif 000002
【図２】
0003556136.tif 000003
【図３】
0003556136.tif 000004
【図４】
0003556136.tif 000005
【図５】
0003556136.tif 000006
【図６】
0003556136.tif 000007
【図７】
0003556136.tif 000008
【図８】
0003556136.tif 000009
【図９】
0003556136.tif 000010
【図１０】
0003556136.tif 000011
【図１１】
0003556136.tif 000012
【図１２】
0003556136.tif 000013
【図１３】
0003556136.tif 000014
【図１４】
0003556136.tif 000015
【図１５】
0003556136.tif 000016
【図１６】
0003556136.tif 000017
【図１７】
0003556136.tif 000018
【図１８】
0003556136.tif 000019
【図１９】
0003556136.tif 000020
【図２０】
0003556136.tif 000021
【図２１】
0003556136.tif 000022
【図２２】
0003556136.tif 000023
【図２３】
0003556136.tif 000024